(57)【要約】【課題】あらゆるキックの局面において生じ得る水平方向の力に対して、中敷の表面摩擦以上の係合力を発揮でき、ランニングや球技も含めたあらゆるスポーツにおいて主として方向転換やダッシュのような水平方向の力が大きく作用する際に力を発揮し易い中敷および中底を提供する。【解決手段】硬質エリアＨは、第２趾および第３趾の基節骨Ｂ３2 ，Ｂ３3 の骨体と、第２趾および第３趾のＭＰ関節ＭＰ2 ，ＭＰ3 と、第２趾および第３趾の中足骨Ｂ４2 ，Ｂ４3 の骨体の各部の一部を含む。中敷上層材２Ａの下面に中敷下層材３Ａが積層され、かつ、中敷上層材２Ａが中敷下層材３Ａの概ね全域を覆うことで、各軟質エリアＳ１〜Ｓ３および硬質エリアＨが形成されている。【選択図】図１
2008012203.tif 000002
【特許請求の範囲】
【請求項１】
少なくとも前足部の概ね全域を覆う軟質エラストマーからなる中敷上層材（２Ａ）と、
前記軟質エラストマーよりも硬度の大きいエラストマーで形成され、下記の硬質エリア（Ｈ）に相当する部位に設けられ、かつ、下記の第１、第２および第３軟質エリア（Ｓ１〜Ｓ３）を覆わない硬質エラストマーからなる中敷下層材（３Ａ）とを備え、
前記第１軟質エリア（Ｓ１）は、第１趾〜第４趾の末節骨（Ｂ１1 〜Ｂ１4 ）および第１趾〜第３趾の趾節関節（Ｊ1 〜Ｊ3 ）を含み、
前記第２軟質エリア（Ｓ２）は、母趾球（Ｏ１）の中心（Ｏｃ）および母趾球（Ｏ１）の外側部分（Ｏ１ｏｕｔ）を含み、
前記第３軟質エリア（Ｓ３）は、小趾球（Ｏ５）の中心（Ｏｃ）および小趾球（Ｏ５）の内側部分（Ｏ５ｉｎ）を含み、
前記硬質エリア（Ｈ）は、第２趾および第３趾の各基節骨（Ｂ３2 ，Ｂ３3 ）の骨体の少なくとも一部と、第２趾および第３趾の各ＭＰ関節（ＭＰ2 ，ＭＰ3 ）の少なくとも一部と、第２趾および第３趾の各中足骨（Ｂ４2 ，Ｂ４3 ）の骨体の少なくとも一部を含み、
前記中敷上層材（２Ａ）の下面に前記中敷下層材（３Ａ）が積層され、かつ、前記中敷上層材（２Ａ）が中敷下層材（３Ａ）の概ね全域を覆うことで、前記各軟質エリア（Ｓ１〜Ｓ３）および硬質エリアＨが形成されている中敷。
【請求項２】
請求項１において、前記第２軟質エリア（Ｓ２）には前記母趾球（Ｏ１）の全域および第１趾基節骨（Ｂ３1 ）の骨底の全域が含まれ、
前記第３軟質エリア（Ｓ３）には前記小趾球（Ｏ５）の全域および第５趾基節骨（Ｂ３5 ）の骨底の全域が含まれていることを特徴とする中敷。
【請求項３】
請求項１もしくは２において、前記第２軟質エリア（Ｓ２）には前記母趾球（Ｏ１）よりも内側（ＩＮ）の領域（Ｓｉｎ）および第１趾基節骨（Ｂ３1 ）の骨底よりも内側（ＩＮ）の領域（Ｓｉｎ）が含まれ、
前記第３軟質エリア（Ｓ３）には前記小趾球（Ｏ５）よりも外側（ＯＵＴ）の領域（Ｓｏｕｔ）および第５趾基節骨（Ｂ３5 ）の骨底の外側（ＯＵＴ）の領域（Ｓｏｕｔ）が含まれていることを特徴とする中敷。
【請求項４】
請求項１ないし３のいずれか１項において、前記中敷下層材（３Ａ）は前記母趾球（Ｏ１）の外側（ＯＵＴ）に沿って括れた内側括れ部（３１）を有し、かつ、前記小趾球（Ｏ５）の内側（ＩＮ）に沿って括れた外側括れ部（３２）を有することを特徴とする中敷。
【請求項５】
請求項１ないし４のいずれか１項において、前記第２および第３軟質エリア（Ｓ２，Ｓ３）が、それぞれ、前記第１軟質エリア（Ｓ１）に連なって略逆Ｕ字状のＵ字エリア（Ｓ）が形成されていることを特徴とする中敷。
【請求項６】
少なくとも前足部の概ね全域を覆う軟質エラストマーからなる中底下層材（２Ｂ）と、
前記軟質エラストマーよりも硬度の大きいエラストマーで形成され、下記の硬質エリア（Ｈ）に相当する部位に設けられ、かつ、下記の第１、第２および第３軟質エリア（Ｓ１〜Ｓ３）を覆わない硬質エラストマーからなる中底上層材（３Ｂ）とを備え、
前記第１軟質エリア（Ｓ１）は、第１趾〜第４趾の末節骨（Ｂ１1 〜Ｂ１4 ）および第１趾〜第３趾の趾節関節（Ｊ1 〜Ｊ3 ）を含み、
前記第２軟質エリア（Ｓ２）は、母趾球（Ｏ１）の中心（Ｏｃ）および母趾球（Ｏ１）の外側部分（Ｏ１ｏｕｔ）を含み、
前記第３軟質エリア（Ｓ３）は、小趾球（Ｏ５）の中心（Ｏｃ）および小趾球（Ｏ５）の内側部分（Ｏ５ｉｎ）を含み、
前記硬質エリア（Ｈ）は、第２趾および第３趾の各基節骨（Ｂ３2 ，Ｂ３3 ）の骨体の少なくとも一部と、第２趾および第３趾の各ＭＰ関節（ＭＰ2 ，ＭＰ3 ）の少なくとも一部と、第２趾および第３趾の各中足骨（Ｂ４2 ，Ｂ４3 ）の骨体の少なくとも一部を含み、
前記中底下層材（２Ｂ）の上面に前記中底上層材（３Ｂ）が積層され、かつ、前記中底下層材（２Ｂ）が中底上層材（３Ｂ）の概ね全域を覆うことで、前記各軟質エリア（Ｓ１〜Ｓ３）および硬質エリア（Ｈ）が形成されている中底。
【請求項７】
請求項６において、前記第２軟質エリア（Ｓ２）には前記母趾球（Ｏ１）の全域および第１趾基節骨（Ｂ３1 ）の骨底の全域が含まれ、
前記第３軟質エリア（Ｓ３）には前記小趾球（Ｏ５）の全域および第５趾基節骨（Ｂ３5 ）の骨底の全域が含まれていることを特徴とする中底。
【請求項８】
請求項６もしくは７において、前記第２軟質エリア（Ｓ２）には前記母趾球（Ｏ１）よりも内側（ＩＮ）の領域（Ｓｉｎ）および第１趾基節骨（Ｂ３1 ）の骨底よりも内側（ＩＮ）の領域（Ｓｉｎ）が含まれ、
前記第３軟質エリア（Ｓ３）には前記小趾球（Ｏ５）よりも外側（ＯＵＴ）の領域（Ｓｏｕｔ）および第５趾基節骨（Ｂ３5 ）の骨底の外側（ＯＵＴ）の領域（Ｓｏｕｔ）が含まれていることを特徴とする中底。
【請求項９】
請求項６ないし８のいずれか１項において、前記中底上層材（３Ｂ）は前記母趾球（Ｏ１）の外側（ＯＵＴ）に沿って括れた内側括れ部（３１）を有し、かつ、前記小趾球（Ｏ５）の内側（ＩＮ）に沿って括れた外側括れ部（３２）を有することを特徴とする中底。
【請求項１０】
請求項６ないし９のいずれか１項において、前記第２および第３軟質エリア（Ｓ２，Ｓ３）が、それぞれ、前記第１軟質エリア（Ｓ１）に連なって略逆Ｕ字状のＵ字エリア（Ｓ）が形成されていることを特徴とする中底。
【発明の詳細な説明】
【技術分野】
【０００１】
本発明は、あらゆるスポーツにおいて方向転換やダッシュ力を有効に働かせることを目的にした、主として競技用靴に好適な中敷および中底に関するものである。
【背景技術】
【０００２】
たとえば、陸上のトラック競技において、コーナリングの際、うまく曲がっていくためにはコーナー外側へのキックが必要となる。このとき中敷は、左足なら小趾球側（第３〜５趾の腹および小趾球の部分）で強い圧力が加わり、右足なら母趾球側（第１〜第２趾の腹および母趾球の部分）で強い圧力が加わる。この圧力によって中敷は圧縮されて凹みを生じる。
【０００３】
一方、足趾の関節部やＭＰ関節中央部（母趾球と小趾球の間）にはあまり強い圧力がかからないため、この領域では中敷はあまり圧縮変形しない。この変形している部分としない部分とで段差が生じる。しかし、この段差は足趾が係合するほど大きいものでも、強いものでもない。
【０００４】
下記の特許文献１〜３のソールは、足趾が係合し得る段差を持つ。また下記の特許文献４はコーナリングに適した傾斜を持つ。
【特許文献１】実公昭５７−６０３２３号
【特許文献２】特許第３４６２０９２号
【特許文献３】特開２００４−２７５６５９
【特許文献４】特許第３３０２５３４号
【発明の開示】
【０００５】
しかし、前記特許文献１〜３のソールでは、中敷の表面に段差が直接的に存在している。かかる構造では、通常の荷重においても強く段差が感じられ、そのため、違和感を感じるとともに、段のエッジによりマメが出来易いという問題がある。
【０００６】
たとえば、特許文献１の発明では、強靭な弾力性を持つ下層基底板が足裏に直接接触するので、前述の問題が生じる。また、特許文献２の発明では中底の趾球部に貫通孔を設けており、そのため、足の蹴り出し時に最も力の必要な趾球部の中心に接地圧を感じないので、キック力が低下し易い。
また、特許文献３の発明では、単に段差が設けられているだけであるため、荷重によってエッジが柔軟につぶれ、強い水平方向の力に対して係合効果が出にくい。
【０００７】
一方、特許文献４の発明では、ソールの上面が傾斜しているので、コーナリングの方向が一定である２００ｍ走などには適しているが、その他の競技では走り難くなる。
【０００８】
したがって、本発明は、あらゆるキックの局面において生じ得る水平方向の力に対して、中敷の表面摩擦以上の係合力を発揮でき、ランニングや球技も含めたあらゆるスポーツにおいて主として方向転換やダッシュのような水平方向の力が大きく作用する際に力を発揮し易い中敷および中底を提供することである。
【０００９】
前記目的を達成する中敷および中底の構造の説明に先だって、足趾の構造や部位の名称について説明する。
５本の足趾は、それぞれ、先端から末節骨Ｂ１i ，基節骨Ｂ３i および中足骨Ｂ４i が趾節関節Ｊi およびＭＰ関節ＭＰi 等で屈曲する。
【００１０】
前記基節骨Ｂ３i および中足骨Ｂ４i は、骨の付け根の太く膨らんだ部分を骨底、先端の太く膨らんだ部分を骨頭、その間の細い部分を骨体という。
前記骨頭のうち、第１趾の中足骨Ｂ４1 の骨頭を母趾球Ｏ１といい、第５趾の中足骨Ｂ４5 の骨頭を小趾球Ｏ５という。
【００１１】
本明細書において、各足趾のうち特定の足趾を表す場合には下付数字の「1 〜5 」を付し、任意の１つの足趾を表す場合には、下付の「i 」を付し、全ての足趾を表す場合には下付数字や「i 」を付さない。
【００１２】
中敷（ソックライナー）
図１に示すように本発明の中敷Ａは、中敷上層材２Ａおよび中敷下層材３Ａを備える。  中敷上層材２Ａは、エラストマーで形成された軟質エラストマーからなり、少なくとも前足部の概ね全域を覆う。
中敷下層材３Ａは、前記軟質エラストマーよりも硬度の大きいエラストマーで形成され、下記の硬質エリアＨに相当する部位に設けられ、かつ、下記の第１、第２および第３軟質エリアＳ１〜Ｓ３を覆わない硬質エラストマーからなる。
【００１３】
前記第１軟質エリアＳ１は、第１趾〜第４趾の末節骨Ｂ１1 〜Ｂ１4 および第１趾〜第３趾の趾節関節Ｊ1 〜Ｊ3 を含み、好ましくは第５趾の末節骨Ｂ１5 を含む。
前記第２軟質エリアＳ２は、母趾球Ｏ１の中心Ｏｃおよび母趾球Ｏ１の外側部分Ｏ１ｏｕｔを含む。
前記第３軟質エリアＳ３は、小趾球Ｏ５の中心Ｏｃおよび小趾球Ｏ５の内側部分Ｏ５ｉｎを含む。
本明細書において、「内側」とは足の内側ＩＮをいい、「外側」とは足の外側ＯＵＴをいう。たとえば、図１の右足の場合には、左側が内側であり、右側が外側である。
前記硬質エリアＨは、第２趾および第３趾の各基節骨Ｂ３2 ，Ｂ３3 の骨体の少なくとも一部と、第２趾および第３趾の各ＭＰ関節ＭＰ2 ，ＭＰ3 の少なくとも一部と、第２趾および第３趾の各中足骨Ｂ４2 ，Ｂ４3 の骨体の少なくとも一部を含む。
【００１４】
図２に示すように、前記中敷上層材２Ａの下面に前記中敷下層材３Ａが積層され、かつ、前記中敷上層材２Ａが前記中敷下層材３Ａの概ね全域を覆うことで、前記各軟質エリアＳ１〜Ｓ３および硬質エリアＨが形成されている。
なお、中敷Ａの場合、通常、吸湿性に優れた表面材（布）１が前記中敷上層材２Ａの概ね全面を覆う。
【００１５】
前記構成において、柔らかい中敷上層材２Ａが硬い中敷下層材３Ａを覆っているので、中敷Ａに通常の荷重が負荷されると、中敷上層材２Ａおよび中敷下層材３Ａは差程大きく圧縮変形せず、また、硬い中敷下層材３Ａは横アーチの中央部等の荷重のかかりにくい部位に存在するため、違和感が生じにくい。
【００１６】
カーブを走行する際等においては、前記荷重があまりかからない部分に硬い中敷下層材３Ａが仕込まれているので、図２（ｂ）の圧力が強くかかる軟質の中敷上層材２Ａは圧縮されて凹み５０を生じるが、硬質の中敷下層材３Ａは差程圧縮変形せず、また、ある程度の硬度を持っているから、中敷Ａに足趾や趾球部を係合させるのに十分な硬さと大きさを持った段差５１が生じる。しかしながら係る段差５１は、硬質の中敷下層材３Ａにより圧縮されて緩やかな曲面を呈するため、エッジによるマメの発生のおそれもない。また個人差のある足裏にも違和感なく対応できる。
【００１７】
また、蹴り出す力や踏ん張る力が最も大きい図１の母趾球Ｏ１の中心Ｏｃや小趾球Ｏ５の中心Ｏｃは、中敷上層材２Ａによって覆われているので、これらの中心Ｏｃが浮くことがなく、これらの部位に接地圧を生じ、したがって、キック力を発揮し易い上、マメの生じる恐れもない。
【００１８】
すなわち、図２（ｂ）の第２軟質エリアＳ２や第３軟質エリアＳ３と硬質エリアＨとの境界近傍においては、キック時、前記段差５１に足趾や趾球部が係合することにより、内外方向の力がより発揮されやすくなり、コーナーを曲がりやすくなる。
一方、図１の第１軟質エリアＳ１と硬質エリアＨとの境界近傍においては、前方へのキックについて前記段差５１（図２（ｂ））が同様に有効に作用するので、直走路においてキック力を発揮し易い。
【００１９】
しかも、硬質エリアＨの内外および前方の３つの領域Ｓ１〜Ｓ３を設けたので、斜め前方や斜め後方への蹴り出し時等にも係合力が発揮される。
【００２０】
以上から、あらゆるキックの局面において生じる水平方向の力に対して、中敷Ａの表面摩擦以上の係合効果が発揮されるので、ランニングや球技も含めたあらゆるスポーツシューズの中敷として適用可能で、主として、方向転換やダッシュのような水平方向の力が大きく作用する際に有効に作用する。
【００２１】
本中敷の好ましい実施例では、前記第２軟質エリアＳ２には前記母趾球Ｏ１の全域および第１趾基節骨Ｂ３1 の骨底の全域が含まれる。一方、前記第３軟質エリアＳ３には前記小趾球Ｏ５の全域および第５趾基節骨Ｂ３5 の骨底の全域が含まれている。
【００２２】
この実施例では、蹴り出す力の最も大きい母趾球Ｏ１および小趾球Ｏ５等の全体が、柔らかい中敷上層材２Ａを介して強く接地するので、前記水平方向の力を更に増大することが可能となる。
【００２３】
本中敷の別の好ましい実施例では、前記第２軟質エリアＳ２には前記母趾球Ｏ１よりも内側ＩＮの領域Ｓｉｎおよび第１趾基節骨Ｂ３1 の骨底よりも内側ＩＮの領域Ｓｉｎが含まれる。一方、前記第３軟質エリアＳ３には前記小趾球Ｏ５よりも外側ＯＵＴの領域Ｓｏｕｔおよび第５趾基節骨Ｂ３5 の骨底の外側ＯＵＴの領域Ｓｏｕｔが含まれる。
【００２４】
この実施例では、母趾球Ｏ１の内側ＩＮや小趾球Ｏ５の外側ＯＵＴに硬い中敷下層材３Ａが存在しないので、母趾球Ｏ１の内側ＩＮや小趾球Ｏ５の外側ＯＵＴに違和感やマメの生じるおそれがない。
【００２５】
本中敷の更に別の好ましい実施例では、前記中敷下層材３Ａは前記母趾球Ｏ１の外側ＯＵＴに沿って括れた内側括れ部３１を有し、かつ、前記小趾球Ｏ５の内側ＩＮに沿って括れた外側括れ部３２を有する。
【００２６】
かかる湾曲した括れ部３１，３２は、母趾球Ｏ１や小趾球Ｏ５の側面と前記段差５１（図２（ｂ））との係合長さを長くする上、斜め前方や斜め後方の係合にも役立つ。
【００２７】
本中敷の他の好ましい実施例においては、前記第２および第３軟質エリアＳ２，Ｓ３が、それぞれ、前記第１軟質エリアＳ１に連なって略逆Ｕ字状のＵ字エリアＳが形成されている。
【００２８】
この実施例では、ＭＰ関節ＭＰよりも前方において硬い硬質エリアＨが足の横アーチの中央部分にのみ存在するので、直線走行時に中敷Ａが屈曲し易く、また、前記違和感等も生じにくい。
【００２９】
本発明の技術思想は、図３（ａ）の中敷Ａの他に中底Ｂについても適用し得る。
ここで、中底Ｂとはインソールのことで、アッパー１００に縫着ないし接着される。
一方、中敷Ａは、前記中底Ｂや硬質板（ソール）の上に配置され、通常、粘着等されていないが、本中敷Ａにおいては、下面がソールに粘着ないし接着されている方が、中敷Ａ自体のズレが生じないので好ましい。
【００３０】
本発明において、図２の中敷Ａの場合には、硬い中敷下層材３Ａが柔らかい中敷上層材２Ａの下方に配置されたが、図３の中底Ｂの場合には硬い中底上層材３Ｂが柔らかい中底下層材２Ｂの上方に配置される。
前記中底Ｂの上には、一般的な中敷が配置され、当該一般的な中敷と前記中底上層材３Ｂとが協働して、本中敷Ａと同様の作用・効果を呈する。
【００３１】
なお、中底において、硬質エラストマーを軟質エラストマーの下方に配置したり、ミッドソールにおいて上層に硬質材を配置した場合にも、若干ではあるが、本発明の前記効果に近似した効果が得られるであろう。しかし、その効果は小さく、したがって、本発明の範囲には含まれない。
【００３２】
中底（インソール）
本発明の中底Ｂは、図１にかっこ書きで示すように、前記中敷Ａと近似した構造を備える。すなわち、本発明の中底Ｂは、エラストマーで形成された軟質エラストマーからなり、少なくとも前足部の概ね全域を覆う中底下層材２Ｂと、前記軟質エラストマーよりも硬度の大きいエラストマーで形成され、前記硬質エリアＨに相当する部位に設けられ、かつ、前記第１、第２および第３軟質エリアＳ１〜Ｓ３を覆わない硬質エラストマーからなる中底上層材３Ｂとを備え、前記中底下層材２Ｂの上面に前記中底上層材３Ｂが積層され、かつ、前記中底下層材２Ｂが中底上層材３Ｂの概ね全域を覆うことで、前記各軟質エリアＳ１〜Ｓ３および硬質エリアＨが形成されている。
【００３３】
本中底の好ましい実施例においては、前記第２軟質エリアＳ２には前記母趾球Ｏ１の全域および第１趾基節骨Ｂ３1 の骨底の全域が含まれ、前記第３軟質エリアＳ３には前記小趾球Ｏ５の全域および第５趾基節骨Ｂ３5 の骨底の全域が含まれている。
【００３４】
本中底の別の好ましい実施例においては、前記第２軟質エリアＳ２には前記母趾球Ｏ１よりも内側ＩＮの領域Ｓｉｎおよび第１趾基節骨Ｂ３1 の骨底よりも内側ＩＮの領域Ｓｉｎが含まれ、前記第３軟質エリアＳ３には前記小趾球Ｏ５よりも外側ＯＵＴの領域Ｓｏｕｔおよび第５趾基節骨Ｂ３5 の骨底の外側ＯＵＴの領域Ｓｏｕｔが含まれている。
【００３５】
本中底の好ましい実施例では、前記中底上層材３Ｂは前記母趾球Ｏ１の外側ＯＵＴに沿って括れた内側括れ部３１を有し、かつ、前記小趾球Ｏ５の内側ＩＮに沿って括れた外側括れ部３２を有する。
【００３６】
本中底の更に好ましい実施例では、前記第２および第３軟質エリアＳ２，Ｓ３が、それぞれ、前記第１軟質エリアＳ１に連なって略逆Ｕ字状のＵ字エリアＳが形成されている。  
【００３７】
前記各エラストマーとしては、樹脂またはゴムや両者をブレンドした発泡体および非発泡体を採用することが可能である。
かかるエラストマーの材料としては、ＰＥ、ＰＵ、ＥＶＡなどの熱可塑性樹脂を採用するのが、コストおよび軽量化などの観点から好ましい。
足裏の安定した支持と適度のクッション性（圧縮に対するヤング率）および前記係合力を発揮するには、各エラストマーを発泡体で形成するのが好ましい。
前記各層２Ａ，２Ｂ，３Ａ，３Ｂのエラストマーを発泡体で形成する場合、硬い中敷下層材３Ａ（中底上層材３Ｂ）を柔らかい中敷上層材２Ａ（中底下層材２Ｂ）に比べ発泡の倍率を小さくするのが好ましい。
【００３８】
前記各層を形成するエラストマーの硬度は、特に限定されないが、図１１の表１および表２に示すような硬度を採用し得る。表の各欄において、下限値は必要な安定性と耐圧縮性等の観点から定められ、一方、上限値はクッション性等の観点から定められる。
エラストマーの硬度差の下限値および上限値は、係合するのに適当な段差５１（図２）が生じるように設定されるべきであり、硬度差が小さいと段差５１が生じにくく、一方、硬度差が大きいと段差５１が大きくなって違和感の生じる原因となる。
【００３９】
図２および図３の前記各層を形成するエラストマーの厚さＴ，Ｔ２，Ｔ３は、特に限定されないが、図１１の表１および表２に示すような厚さを採用し得る。表の各欄において、上限値は必要な安定性等の観点から定められ、一方、下限値はクッション性等の観点から定められる。
【００４０】
各層２Ａ（２Ｂ），３Ａ（３Ｂ）の厚さＴ２，Ｔ３は、図２（ａ），図２（ｃ）の場合には中敷（中底）を形成するエラストマーの総厚Ｔよりも０．５ｍｍ以上薄くする必要があり、また、少なくとも各層自体が０．５ｍｍ以上の厚さを有する必要がある。
【００４１】
硬質層３Ａ，３Ｂが厚すぎたり又は硬すぎたり、あるいは、軟質層２Ａ，２Ｂが薄すぎると、足裏に違和感を生じる原因となる。一方、硬質層３Ａ，３Ｂが薄すぎたり又は柔らかすぎたり、あるいは、軟質層２Ａ，２Ｂが硬すぎると、十分な係合力が発揮されない。
【００４２】
図２（ａ）に示すように、中敷下層材３Ａは中敷上層材２Ａに向かって一部が埋もれ、残部が突出していてもよい。中敷下層材３Ａと中敷上層材２Ａとを一体に成形した場合、硬い中敷下層材３Ａが中敷上層材２Ａに埋もれたような構造となるであろう。
【００４３】
図２（ｃ）に示すように、中敷上層材２Ａの平坦な下面に中敷下層材３Ａが配置されてもよいし、図２（ｄ）のように、中敷下層材３Ａが中敷上層材２Ａ内に埋設されていてもよい。
【００４４】
図３（ｂ）に示すように、中底上層材３Ｂは中底下層材２Ｂに向かって一部が埋もれ、一部が突出していてもよい。
【００４５】
図３（ｃ）に示すように、中底下層材２Ｂの平坦な上面に中底上層材３Ｂが配置されていてもよいし、図３（ｄ）のように、中底上層材３Ｂが中底下層材２Ｂ内に埋設されていてもよい。
【実施例】
【００４６】
以下、本発明の実施例を図面にしたがって説明する。
本発明において、図１の各エリアＳ１〜Ｓ３，Ｈや硬質材（中敷下層材３Ａおよび中底上層材３Ｂ）の平面的な配置については、中敷Ａと中底Ｂとで同様であり、したがって、主として中敷Ａについて説明する。
なお、図１および図４〜図１０において、中敷上層材２Ａ（中底下層材２Ｂ）は２点鎖線で示す。
【００４７】
図１は実施例１を示す。
実施例１の中敷Ａは、前足部に“ひょうたん形”の中敷下層材３Ａを備える。
【００４８】
中敷下層材３Ａの前縁は、第２〜第４趾の趾節関節Ｊ2 〜Ｊ4 の若干手前、つまり、基節骨Ｂ３2 〜Ｂ３4 の骨頭と骨体との間に位置している。
中敷下層材３Ａの前部の内側縁は、第１趾の基節骨Ｂ３1 に概ね沿っている。
中敷下層材３Ａの後部の内側部分は、第１趾の中足骨Ｂ４1 を覆わず、かつ、第２趾の中足骨Ｂ４1 の概ね全部を覆う。
【００４９】
中敷下層材３Ａの前部の外側縁は、第５趾の基節骨Ｂ３5 の上に配置されている。中敷下層材３Ａの後部の外側縁は、第４趾の中足骨Ｂ４4 の上に配置されている。
【００５０】
図４は実施例２を示す。
この実施例では、中敷下層材３Ａが前足部から中足部に連なっている。すなわち、中敷下層材３Ａは中足部の足のアーチを覆っており、硬質エリアＨが中足部まで延びている。これにより、シューズ自体の安定性および反発性が増大する。
後足部は中敷下層材３Ａにより覆われていない。
【００５１】
中敷下層材３Ａの中央前縁は、第２および第３趾の趾節関節Ｊ2 、Ｊ3 の若干手前、つまり、基節骨Ｂ３2 、Ｂ３3 の骨頭と骨体との間に位置している。
中敷下層材３Ａの前部の内側縁は、第１趾のＢ３1 と第２趾のＢ３2 との間から後方に延び、第２趾のＭＰ関節ＭＰ2 およびその前後において内側括れ部３１を有している。
【００５２】
中敷下層材３Ａの内側の前縁は、第１趾の中足骨Ｂ４1 を横断する。一方、中敷下層材３Ａの外側の前縁は第４趾および第５趾の中足骨Ｂ４4 、Ｂ４5 を外側に向かって斜め後方に横断する。
【００５３】
中敷下層材３Ａの前部の外側縁は、概ね第３趾基節骨Ｂ３3 と第４趾基節骨Ｂ３4 との間に位置し、第３趾のＭＰ関節ＭＰ3 ないし中足骨Ｂ４3 の骨頭付近に括れ部３２を有し、これらの部位の外側は中敷下層材３Ａに覆われていない。
なお、本実施例においても、中敷下層材３ＡはＭＰ関節ＭＰの若干後方において最も幅が狭くなっている。
【００５４】
また、前記中敷下層材３ＡにおけるＭＰ関節およびそのＭＰ関節の前後の部位には、複数の第１貫通孔４１が形成されている。この貫通孔４１は、足の外側ＯＵＴから内側ＩＮに向かって若干前方に傾斜した横長の楕円形状であり、これにより、ＭＰ関節ＭＰにおける足の屈曲性が阻害されないようにしている。
【００５５】
図５の実施例３に示すように、中敷下層材３Ａには多数の小さな第２貫通孔４２を設けて、中敷下層材３Ａを更に屈曲し易くしてもよい。また、中敷下層材３Ａには意匠上の第３貫通孔４３を設けてもよい。これらの貫通孔４１〜４３は中敷下層材３Ａの軽量化にも役立つ。
なお、中敷上層材２Ａにも多数の貫通孔を設けてもよいし、切欠き等により足裏の一部を覆っていなくてもよい。
【００５６】
前記中敷下層材３Ａの前端部分は、図６のように足の内外に張り出して（突出して）いてもよいし、更に、図７のように、足の前方に向かって張り出していてもよい。また、中敷下層材３Ａは、中足部の内側および外側の縁部を覆っていない形状としてもよい。
【００５７】
また、図８のように、中敷下層材３Ａが３つ叉状で、母趾球Ｏ１（図４）の内側や小趾球Ｏ５（図４）の外側にも配置されていてもよい。更に、第１軟質エリアＳ１と第２軟質エリアＳ２および第３軟質エリアＳ３とが中敷下層材３Ａで分離されていてもよい。
【００５８】
また、図５の貫通孔４１に代えて、図９のような足の前後に長い第４貫通孔４４を設けてもよい。また、図１０のように、中敷下層材３Ａを逆Ｔ字状に形成してもよい。
【産業上の利用可能性】
【００５９】
本発明は種々の運動競技に適した靴の中敷および中底に利用できる。
【図面の簡単な説明】
【００６０】
【図１】本発明の実施例１にかかる中敷および中底の前足および中足部の前部と足の骨格との関係を示す平面図である。
【図２】中敷の横断面図である。
【図３】（ａ）は本底を除いた靴の概略横断面図、（ｂ）〜（ｄ）は中底の横断面図である。
【図４】本発明の実施例２にかかる中敷および中底と足の骨格との関係を示す平面図である。
【図５】本発明の実施例３にかかる中敷および中底を示す平面図である。
【図６】同実施例４を示す平面図である。
【図７】同実施例５を示す平面図である。
【図８】同実施例６を示す平面図である。
【図９】同実施例７を示す平面図である。
【図１０】同実施例８を示す平面図である。
【図１１】中敷および中底の部材の硬度および厚さを示す図表である。
【符号の説明】
【００６１】
Ａ：中敷
Ｂ：中底
Ｂ１i ：末節骨
Ｂ３i ：基節骨
Ｂ４i ：中足骨
ＭＰi ：ＭＰ関節
Ｊi ：趾節関節
Ｏ１：母趾球
Ｏ５：小趾球
Ｏｃ：中心
１：表面材
２Ａ：中敷上層材，２Ｂ：中底下層材
３Ａ：中敷下層材，３Ｂ：中底上層材
５０：凹部
５１：段差
１００：アッパー
ＩＮ：内側
ＯＵＴ：外側
【図１】
2008012203.tif 000003
【図２】
2008012203.tif 000004
【図３】
2008012203.tif 000005
【図４】
2008012203.tif 000006
【図５】
2008012203.tif 000007
【図６】
2008012203.tif 000008
【図７】
2008012203.tif 000009
【図８】
2008012203.tif 000010
【図９】
2008012203.tif 000011
【図１０】
2008012203.tif 000012
【図１１】
2008012203.tif 000013